(57)【要約】    【課題】  取り扱いが簡単で、細菌等の汚染を容易に低減することができ、容易に洗浄することを可能とした口腔洗浄器を提供する。    【解決手段】  洗浄液を口腔内へ供給する洗浄液供給管３と廃液を口腔内から吸引する廃液吸引管４とを有する清掃へッド２と、洗浄液供給管３へ接続する洗浄液供給管接続部56と廃液吸引管４へ接続する廃液吸引管接続部55とを有するグリップ６とを備えた口腔洗浄器において、清掃へッド２は洗浄液供給管３と廃液吸引管４の一体成型体により形成され、清掃へッド２の先端部に清掃部材５を備えて、清掃へッド２を前記グリップ６に対してワンタッチで着脱可能に構成した。【選択図】  図２
2006116138.tif 000002
【特許請求の範囲】
【請求項１】
洗浄液を口腔内へ供給する洗浄液供給管と、廃液を口腔内から吸引する廃液吸引管とを有する清掃へッドを備えた口腔洗浄器において、前記清掃へッドは前記洗浄液供給管と前記廃液吸引管の一体成型体により形成され、前記清掃へッドの先端部に清掃部材を備えたことを特徴とする口腔洗浄器。
【請求項２】
前記清掃部材が、通水性の多孔質材料又は歯ブラシからなることを特徴とする請求項１記載の口腔洗浄器。
【請求項３】
前記洗浄液供給管へ接続する洗浄液供給管接続部と、前記廃液吸引管へ接続する廃液吸引管接続部とを備えたグリップに、前記清掃へッドをワンタッチで着脱可能に接続し、前記清掃へッドが使い捨て可能であることを特徴とする請求項１又は２記載の口腔洗浄器。
【請求項４】
前記グリップの一端側を収納する容器を備えるとともに、洗浄スイッチを設け、前記容器に前記グリップの一端側を収納させた状態で前記洗浄スイッチが操作されると、洗浄液が前記洗浄液供給管接続部へ送出されるとともに該洗浄液が前記廃液吸引管接続部から吸引され、前記洗浄液供給管接続部および前記廃液吸引管接続部の汚れを洗い流すように構成したことを特徴とする請求項３記載の口腔洗浄器。
【発明の詳細な説明】
【技術分野】
【０００１】
本発明は、介護用の口腔洗浄に用いられる口腔洗浄器に関する。
【背景技術】
【０００２】
高齢化社会の進展に伴い、自分でうがいや歯みがきができない要介護老人が増加しているが、その要介護老人の口臭や、口腔内の細菌などが気管に入って発症する誤嚥性肺炎が問題になっている。特に、高齢者の死亡原因の中で肺炎は最も死亡率が高いこともあり、要介護老人の口腔衛生に関する適切な対策が求められている。
【０００３】
要介護老人の口腔衛生に用いることのできる従来の口腔洗浄器としては、例えば特許文献１，特許文献２に開示されるように、清掃ヘッドに清掃部材を設け、その内部に洗浄液供給管と、廃液吸引管を備えているものが知られている。そして、この口腔洗浄器は、洗浄液供給管から水や洗浄液を被介護者の口腔内へ供給し、口腔洗浄後の廃液を廃液吸引管から吸引するようになっている。
【０００４】
ところが、これら従来の口腔洗浄器を使用する場合、清掃ヘッドに備えられた洗浄液供給管や廃液吸引管を、該洗浄液供給管や廃液吸引管に接続する接続部に各々取り付ける必要があり、取扱が複雑で作業前の準備や後片付けに手間がかかっていた。また、口腔洗浄器は、清掃へッドまたは清掃部材のみを交換して複数の患者に連続的に使用されるが、各患者が口腔洗浄器を使用した後の洗浄液供給管や廃液吸引管とチューブ等の接続部に付着した汚れを容易に洗浄できる洗浄機能を有したものはなかった。そのため、接続部に付着した細菌等の汚染の虞があり、衛生上の安全性が十分に確保されているものではなかった。さらに、口腔洗浄器に備えられた清掃ヘッドは、洗浄して繰返して使用するため、洗浄作業に手間がかかっていた。
【０００５】
一方、特許文献１に開示されたものは、清掃部材として歯ブラシのみを設けているため、主に歯面の清掃を目的としており、歯が少なく口腔粘膜の弱った老人にとっては有効であるとは言えず、歯以外の口腔内の洗浄には適したものとはいえなかった。
【特許文献１】特開平１１−１０３９３８号公報
【特許文献２】特願２００３−３４５７４４号公報
【発明の開示】
【発明が解決しようとする課題】
【０００６】
本発明は上記問題点に鑑み、取り扱いが簡単で、細菌等の汚染を容易に低減することができ、容易に洗浄することを可能とした口腔洗浄器を提供することをその目的とする。
【課題を解決するための手段】
【０００７】
本発明の請求項１記載の口腔洗浄器は、洗浄液を口腔内へ供給する洗浄液供給管と、廃液を口腔内から吸引する廃液吸引管とを有する清掃へッドを備えた口腔洗浄器において、前記清掃へッドは前記洗浄液供給管と前記廃液吸引管の一体成型体により形成され、前記清掃へッドの先端部に清掃部材を備えたものである。
【０００８】
本発明の請求項２記載の口腔洗浄器は、請求項１において、前記清掃部材が、通水性の多孔質材料又は歯ブラシからなるものである。
【０００９】
本発明の請求項３記載の口腔洗浄器は、請求項１又は２において、前記洗浄液供給管へ接続する洗浄液供給管接続部と、前記廃液吸引管へ接続する廃液吸引管接続部とを備えたグリップに、前記清掃へッドをワンタッチで着脱可能に接続し、前記清掃へッドを使い捨て可能にしたものである。
【００１０】
本発明の請求項４記載の口腔洗浄器は、請求項３において、前記グリップの一端側を収納する容器を備えるとともに、洗浄スイッチを設け、前記容器に前記グリップの一端側を収納させた状態で前記洗浄スイッチが操作されると、洗浄液が前記洗浄液供給管接続部へ送出されるとともに該洗浄液が前記廃液吸引管接続部から吸引され、前記洗浄液供給管接続部および前記廃液吸引管接続部の汚れを洗い流すように構成したものである。
【発明の効果】
【００１１】
本発明の請求項１記載の口腔洗浄器によれば、清掃へッドは洗浄液供給管と廃液吸引管の一体成型体により形成されたことで、清掃へッドを安価に生産でき、患者毎に使い捨てることができるため衛生上の安全性を十分に確保することが可能である。
【００１２】
本発明の請求項２記載の口腔洗浄器によれば、清掃部材が通水性の多孔質材料の場合には口腔内の粘膜を傷つけることなく口腔内を拭き洗浄でき、歯ブラシの場合には歯垢等の汚れを掻き出すことができ、口腔粘膜の清掃と歯面清掃の一連の口腔ケアを行うことができる。
【００１３】
本発明の請求項３記載の口腔洗浄器によれば、ワンタッチで清掃へッドをグリップに着脱可能であるため、取り扱いが簡単で、作業効率を向上させることができる。さらに、清掃部材を触れずに着脱可能であるため衛生的である。また、清掃へッドが使い捨て可能であるため衛生的である。
【００１４】
本発明の請求項４記載の口腔洗浄器によれば、洗浄液供給管への接続部および廃液吸引管への接続部等を短時間で且つ容易に洗浄することができ、細菌等の汚染を容易に低減することができる。
【発明を実施するための最良の形態】
【００１５】
以下、本発明における好ましい実施例について、添付図面を参照しながら説明する。
【実施例１】
【００１６】
図１の（ａ）は本発明に係わる口腔洗浄器の一実施形態を示す全体斜視図であり、図１の（ｂ）は図１（ａ）の口腔洗浄器の装置洗浄時の一実施形態を示す全体斜視図である。１は口腔洗浄器の本体であり、この内部には図示しないが、廃液を吸引するための廃液吸引ポンプ、吸引管路の詰まりを監視するための風量センサ、廃液吸引ポンプなどの動作を制御するための制御手段などが備えられている。また、２は清掃ヘッドであり、洗浄液を口腔内へ供給する洗浄液供給管３と、廃液を口腔内から吸引する廃液吸引管４とが一体形成され、清掃ヘッド２の先端には通水性の多孔質材料としてのウレタンフォームなどからなる略直方体形状の清掃部材５を備えている。そして、清掃ヘッド２はグリップ６の一端側に取り付けられている。なお、清掃ヘッド２の詳細な構成については、後述する。
【００１７】
グリップ６の側部には、注水ボタン７が設けられている。また、グリップ６の他端側からは、洗浄液供給管３と連通する注水チューブ８と、廃液吸引管４と連通する吸引チューブ９と、注水ボタン７からの電気信号を本体１の制御手段へ伝えるための信号線10とが延設されている。信号線10は本体１の上面に設けられた接続端子11に、着脱自在に接続されている。なお、12および12’はグリップ６を保持するためのグリップ保持部であり、またグリップ保持部12’には、清掃へッド２を取り外した状態のグリップ６の一端側を収納する容器13が備えられている。14は注水チューブ８，吸引チューブ９，信号線10を保持するためのチューブ保持部である。
【００１８】
グリップ６の他端側から延設した注水チューブ８は、コネクタを介して口腔洗浄器本体側の注水チューブ８’に接続し、次いで注水チューブ８’が洗浄液供給ポンプ15の一端側に接続し、洗浄液供給ポンプ15の他端側は給水チューブ16を経由して、口腔洗浄液を貯蔵する第１の洗浄液用カップ17に接続している。そして、グリップ６に設けられた注水ボタン７を押しているときだけ洗浄液供給ポンプ15が動作し、第１の洗浄液用カップ17に貯蔵された洗浄液が清掃ヘッド２へ供給されるようになっている。また、第１の洗浄液用カップ17と並列して、口腔洗浄器の使用後に注水チューブ８，８’や吸引チューブ９，９’およびグリップ６の一端側等を洗浄するための装置洗浄液を貯蔵する第２の洗浄液用カップ18が配置されている。なお、第１の洗浄液用カップ17および第２の洗浄液用カップ18は、使い捨て容器で構成され、給水チューブ16の先端は、第１の洗浄液用カップ17に差込易いように硬い材質からなっている。
【００１９】
また、吸引チューブ９は、グリップ６の他端側から廃液を貯蔵する廃液用ボトル19の蓋20へ接続し、吸引チューブ９’は、廃液用ボトル19の蓋20から口腔洗浄器本体へ接続している。そして、蓋20を廃液用ボトル19へ嵌合させることによって、廃液用ボトル19の気密性が保たれるようになっている。また、蓋20には、本体１内に設けられた吸引ポンプに接続する吸引ポンプ接続チューブ21と、廃液用ボトル19の液量を検知するための液量検知手段22と、液量検知手段22と本体１とを液量検知接続線26を介して接続する接続部23を固定するための固定手段24と、蓋20の開閉を容易に行うための把手部25とが設けられている。なお、この液量検知手段22は、２本の金属棒が廃液に触れることによって液面を検知し、この検知信号が液量検知接続線26を介して図示しない制御手段により受信されるようになっている。また、吸引ポンプにより吸引された排気は図示しないエアフィルタを通過して排出するように構成され、吸引管路の詰まり及びフィルタ詰まりによる吸引異常を検知する図示しない風量センサが設けられている。さらに、蓋20に接続される液量検知手段の接続部23や吸引ポンプ接続チューブ21などの接続口は差込式となっている。
【００２０】
本体１の上面に設けられた操作パネル29には、運転を始動するための運転始動ボタン30と、運転を停止するための運転停止ボタン31と、運転が正常に行われているときに点灯する運転中表示ＬＥＤ32と、廃液吸引ポンプにより吸引が正常に行なわれているときに点灯する吸引中表示ＬＥＤ33と、廃液用ボトル19の廃液が満杯になったときに点灯する廃液満杯時点灯ＬＥＤ34と、吸引異常時に点灯する吸引異常時点灯ＬＥＤ35と、グリップ６の一端側を容器13に収納して固定した状態でグリップ６の一端側に設けられた廃液吸引開口部52と洗浄液供給開口部53を洗浄するための洗浄スイッチたる洗浄液送出開始ボタン36と、洗浄液供給ポンプ15により洗浄液送出が正常に行われているときに点灯する洗浄液送出時点灯ＬＥＤ37と、洗浄液供給ポンプ15の注水量を選択するための注水液量（少）選択ボタン38，注水液量（中）選択ボタン39，注水液量（多）選択ボタン40と、洗浄液供給ポンプ15により洗浄液送出が最小値に設定されたときに点灯する注水量（少）表示ＬＥＤ41，中位に設定されたときに点灯する注水量（中）表示ＬＥＤ42，最大値に設定されたときに点灯する注水量（多）表示ＬＥＤ43とが設けられている。また、本体１の上面には、小物を入れるための載置部44が２つ設けられ、本体１の側面には、予備の洗浄用カップ等を収納可能な収納部45が設けられている。さらに、本体１の別の側面には、第１の洗浄液用カップ17，第２の洗浄液用カップ18，および廃液用ボトル19を保持するそれぞれの形状に合ったリング状のボトル保持部45が設けられ、本体１のさらに別の側面には図示しない主電源スイッチや電源差込口などが設けられている。また、本体１には、本体１を持ち運ぶためのハンドル47が設けられている。また、注水チューブ８，８’や吸引チューブ９，９’などは本体１の外部に取り付けられている。
【００２１】
清掃ヘッド２およびグリップ６の断面図を示す図２において、清掃ヘッド２には、洗浄液供給管３と廃液吸引管４とが長手方向に向って２列に並べて設けられ、清掃ヘッド２は、樹脂による一体成型体により形成されている。また、清掃ヘッド２の他端側には、グリップ６の一端側のグリップ接続部50と接続する清掃へッド接続部51が設けられている。
【００２２】
廃液吸引管４の廃液吸引開口部52の一端部４ａは、他端部４ａ’より広径な貫通口を形成している。一方、洗浄液供給管３は、廃液吸引管４よりも小径となっている。洗浄液供給管３の洗浄液供給開口部53は、廃液吸引開口部52より約１０〜１５ｍｍほど清掃へッド２の他端側に位置しており、洗浄液を供給するための所定の隙間54を有している。また、廃液吸引管４の廃液吸引開口部52の端部４ａは、清掃部材５の端部５ａよりも３ｍｍほど清掃部材５の内部側に位置しており、廃液吸引開口部52が外部と連通するように構成されている。
【００２３】
そして、清掃部材５は、清掃ヘッド２の先端に設けられ、清掃ヘッド２とは接着剤で接着されて一体固定されている。この清掃部材５は、ポリエチレンフォームなどの樹脂からなるスポンジで構成されている。なお、本実施例ではスポンジから清掃部材５を構成したが、通水性の多孔質材料であればこれに限らず、例えば、その他、天然素材などからなるスポンジ、抗菌作用や消臭作用を有する成分を配合したポリウレタンフォーム、あるいは、布，ガーゼ，脱脂綿，紙などで構成してもよい。また、スポンジに限らず歯ブラシタイプのものであってもよい。このように、清掃部材５を備えた清掃ヘッド２は使い捨て可能に構成されている。
【００２４】
グリップ６には、廃液吸引管４の他端側が接続する廃液吸引管接続部55と、洗浄液供給管３の他端側が接続する洗浄液供給管接続部56が設けられている。清掃へッド接続部51は、グリップ接続部50に被さって接続し、廃液吸引管４は廃液吸引接続部55へ挿通され、清掃へッド接続部51に設けられた凸部57がグリップ接続部50の凹部58に嵌合している。また、清掃へッド接続部51には、清掃へッド２をグリップ６に容易に着脱するための突起部59が設けられている。なお、廃液吸引開口部52や洗浄液供給開口部53と接続するグリップ接続部50、その他蓋20と接続する吸引ポンプ接続チューブ21の先端などには、液体や気体を密封する目的で合成ゴム製のＯリング60が備えられている。
【００２５】
つぎに、上記構成についてその作用を説明する。まず、第１の洗浄液用カップ17に口腔用の洗浄液を入れ、給水チューブ16を挿入し、注水チューブ８，８’，吸引チューブ９，９’，信号線10，接続端子11，給水チューブ16，吸引ポンプ接続チューブ21，液量検知手段の接続部23，液量検知接続線26などが所定の位置に接続されていることを確認する。
【００２６】
そして、清掃へッド接続部51をグリップ接続部50に差し込み、固定する。このとき清掃へッド接続部51に設けられた凸部57をグリップ接続部50の凹部58に嵌合させることにより、確実にかつ容易に嵌合させることができ、またワンタッチ差込式であるため着脱に手間がかからず作業効率を向上させることができる。
【００２７】
次に、主電源スイッチを入れ、次いで運転始動ボタン30を押し運転中表示ＬＥＤ32が点灯していることを確認する。そして、グリップ６の注水ボタン７を押すと清掃へッド２の先端から洗浄液が出て、注水ボタン７を離すと洗浄液が止まることを確認する。このとき、注水ボタン７のオン・オフの信号は信号線10を介して図示しない制御手段に伝わり、制御手段は注水ボタン７のオン・オフの信号に応じて洗浄液供給ポンプ15を動作・停止させる。洗浄液供給ポンプ15が動作すると、第１の洗浄液用カップ17の洗浄液が給水チューブ16，洗浄液供給ポンプ15，注水チューブ８’，８，グリップ６，洗浄液供給管３の順で送られ、最後に洗浄液供給開口部53から清掃部材５の内部に供給される。そして、清掃部材５から洗浄液が滲み出す。また、必要に応じて注水量選択ボタン38，39，40を押すことによって、洗浄液の供給量を調節することができる。
【００２８】
また、適当な容器に洗浄液を出すと同時に、その溜まった洗浄液を清掃へッド２の先端から吸引できることを確認する。図示しない吸引ポンプは常時動作しており、廃液吸引管４の開口部52から廃液は廃液吸引管４，グリップ６，吸引チューブ９，９’を通って廃液用ボトル19に導かれる。また、廃液吸引管４の開口部52から吸引された空気は、廃液用ボトル19から吸引ポンプ接続チューブ21を経て吸引ポンプから排気され、この排気された空気は図示しないエアフィルタを通過して外に排気される。なお、排気された空気がエアフィルタを通過することによって細菌等の拡散を防止することができる。また、吸引管路の詰まりは図示しない風量センサにより監視され、制御手段はその信号をもとに、廃液吸引ポンプにより吸引が正常に行なわれているときに吸引中表示ＬＥＤ33を点灯させ、風量検知の値が設定範囲外の値になった吸引異常時には吸引経路のどこかに閉塞状態が発生している場合を想定し、吸引異常時点灯ＬＥＤ35を点滅させ、警告ブザーが断続的に鳴る。さらに、警告ブザーが断続的に鳴った状態が継続した場合、警告ブザーが連続的に鳴り、同時に注水が停止する。さらに、警告ブザーが連続的に鳴った状態が継続した場合には、口腔粘膜に吸引し続けている場合を想定し、口腔粘膜を保護するために、吸引ポンプが停止する。また、制御手段は廃液用ボトル19の廃液が満杯になったことを検知すると、廃液満杯時点灯ＬＥＤ34を点灯させるとともに、警告ブザーが鳴り、吸引ポンプと洗浄液供給ポンプ15を停止させ、注水ボタン７を押しても洗浄液供給ポンプ15は動作しないが、緊急時の操作として注水ボタン７を押した場合、吸引ポンプのみが動作する。
【００２９】
口腔洗浄を行う際には、まず清掃部材５が湿る程度に注水し、その後、口腔洗浄を行う。洗浄液で湿った清掃部材５はやわらかく、口腔内の粘膜を傷つけることなく口腔内を拭き洗浄できる。また、口腔内の痰や異物は、口腔内の廃液とともに、清掃部材５の端部から外部に開口した廃液吸引管４の開口部52から吸引される。また、廃液吸引管４の開口部52の一端部４ａが清掃部材５の一端部５ａよりも清掃部材５の内部側に位置しているので、清掃部材５の一端部５ａが直接口腔内に接して口腔内を傷つけたり、痛みを感じさせたりすることがない。
【００３０】
口腔洗浄終了後、グリップ６から清掃ヘッド２を取り外し、使用後の清掃ヘッド２は廃棄する。そして、グリップ接続部50を本体１の側面に設けられた容器13に差し込み、洗浄液送出開始ボタン36を押すと、洗浄液送出時点灯ＬＥＤ37が点灯し、第１の洗浄液用カップ17内の洗浄液が給水チューブ16，注水チューブ８’，８，グリップ６を通って容器13内に導かれ、廃液吸引管接続部55から吸引し、洗浄液供給管接続部56付近および吸引チューブ９などを洗浄することができる。このような洗浄液送出開始ボタン36による洗浄液供給管接続部56および廃液吸引管接続部55や、グリップ接続部50付近の洗浄は、患者毎の口腔ケア後に行う。
【００３１】
そして、最終的に口腔洗浄器を片付ける際には、給水チューブ16を第２の洗浄液用カップ18に差替え、グリップ６の注水ボタン７を押し続けて注水チューブ８内を装置用洗浄液で洗い流す。また、第２の洗浄液用カップ18内の装置用洗浄液にグリップ接続部50を浸けて、グリップ６の廃液吸引管接続部55から洗浄液を吸込ませ、吸引チューブ９内を洗浄する。その後、第１の洗浄液用カップ17及び第２の洗浄液用カップ18はカップ保持部46から取り外して廃棄し、廃液用ボトル19はボトル保持部46から取り外して洗浄する。
【００３２】
以上のように本実施例では、洗浄液を口腔内へ供給する洗浄液供給管３と、廃液を口腔内から吸引する廃液吸引管４とを有する清掃へッド２を備えた口腔洗浄器において、清掃へッド２は洗浄液供給管３と廃液吸引管４の一体成型体により形成され、清掃へッド２の先端部に清掃部材５を備えたものである。
【００３３】
この場合、清掃へッド２は洗浄液供給管３と廃液吸引管４の一体成型体により形成されたことで、清掃へッド２を安価に生産でき、患者毎に使い捨てることができるため衛生上の安全性を十分に確保することが可能である。
【００３４】
また、本実施例では、清掃部材５が、通水性の多孔質材料からなるものである。
【００３５】
この場合、清掃ヘッド２が通水性の多孔質材料からなる清掃部材５を備えたことで、口腔粘膜を損傷させることなく口腔内を効率よく洗浄することができる。
【００３６】
さらに、本実施例では、洗浄液供給管３へ接続する洗浄液供給管接続部56と、廃液吸引管４へ接続する廃液吸引管接続部55とを備えたグリップ６に、清掃へッド２をワンタッチで着脱可能に接続し、清掃へッド２を使い捨て可能にしたものである。
【００３７】
この場合、ワンタッチで清掃へッド２をグリップ６に着脱可能であるため、取り扱いが簡単で、作業効率を向上させることができる。さらに、清掃部材５を触れずに着脱可能であるため衛生的である。また、清掃へッド２が使い捨て可能であるため衛生的である。
【００３８】
また、本実施例では、グリップ６の一端側を収納する容器13を備えるとともに、洗浄スイッチ36を設け、容器13にグリップ６の一端側を収納させた状態で洗浄スイッチ36が操作されると、洗浄液が洗浄液供給管接続部56へ送出されるとともに該洗浄液が廃液吸引管接続部55から吸引され、洗浄液供給管接続部56および廃液吸引管接続部55の汚れを洗い流すように構成したものである。
【００３９】
この場合、洗浄液供給管接続部56および廃液吸引管接続部55や、グリップ接続部50付近等を短時間で且つ容易に洗浄することができ、細菌等の汚染を容易に低減することができる。
【００４０】
さらに、本実施例では、清掃へッド２の先端部に清掃部材５が一体に固定されているので、清掃部材５が外れて飲み込むなどの危険性がなく、清掃部材５に触れずに着脱可能なので衛生的である。また、注水チューブ８，８’や吸引チューブ９，９’などが本体１の外部に取り付けられているため、チューブ内の汚れを確認でき取り替えが容易である。さらに、廃液吸引管４の廃液吸引開口部52の一端部４ａは、他端部４ａ’より広径な貫通口を形成しているので、吸引効果が向上し、口腔内の痰や異物を確実に吸引できる。蓋20に接続される液量検知手段の接続部23や吸引ポンプ接続チューブ21などの接続口は差込式であるので、容易に着脱可能であり作業時間を短縮することができる。
【実施例２】
【００４１】
本発明の第２実施例について説明する。なお、上記第１実施例と同様の部分には同じ符号を付し、その詳細な説明を省略する。
【００４２】
本実施例は、清掃ヘッド２の構成が上記第１実施例と異なる。図３を参照しながら説明すると、洗浄液供給管３を外管とし、廃液吸引管４を同外管との間に所定の間隙を存して内側に配設される内管とする二重管構造にしてなるように一体成型されている。また、清掃ヘッド２の先端部に雌ネジ部62、清掃部材５たる歯ブラシに雄ネジ部63を設けて螺合するネジ式で着脱可能に構成されている。なお、本実施例では歯ブラシから清掃部材５を構成したが、これに限らず、例えば、その他、天然素材などからなるスポンジ、抗菌作用や消臭作用を有する成分を配合したポリウレタンフォーム、あるいは、布，ガーゼ，脱脂綿，紙などの使い捨て可能な材料で構成してもよい。さらに、グリップ接続部50にグリップ接続雌ネジ部67、清掃へッド接続部51に清掃へッド接続雄ネジ部68を設けて螺合するネジ式で着脱可能に構成されている。なお、本実施例では、グリップ接続部50にグリップ接続雌ネジ部67、清掃へッド接続部51に清掃へッド接続雄ネジ部68を設けて螺合しているがこれに限らず、例えば、清掃へッド接続部51に凸部、グリップ接続部50に凹部を設けて嵌合による取付け方法であってもよい。
【００４３】
さらに、本実施例は、本体１の構成が上記第１実施例と異なる。図４を参照しながら説明すると、洗浄液供給ポンプ15と給水チューブ16の間に三方電磁弁61が備えられているとともに、装置用洗浄液を給水するための給水チューブ16’が備えられている。なお、三方電磁弁61の弁位置を給水チューブ16以外に切り換えた場合、注水ボタン７を操作できないように図示しないロック機構が設けられている。また、ボトル保持部46として、第１の洗浄液用カップ17，第２の洗浄液用カップ18，及び廃液用ボトル19を共に保持することができる一体形のボトル保持部46が備えられている。
【００４４】
次に、本実施例における構成についてその作用を説明する。
【００４５】
口腔洗浄終了後、清掃ヘッド２から清掃部材５たる歯ブラシを取り外し、使用後の清掃部材５は廃棄し、さらにグリップ６から清掃ヘッド２を取り外す。そして、グリップ接続部50を本体１の側面に設けられた容器13に差し込みセットして、洗浄スイッチたる装置洗浄ボタン36を押すと、洗浄液送出時点灯ＬＥＤ37が点灯し、三方電磁弁61の弁位置が装置洗浄液の入った第２の洗浄液用カップ18側の給水チューブ16’に切替り、洗浄液供給ポンプ15が始動して装置洗浄液を一定時間吐出し、第２の洗浄液用カップ18内の洗浄液が給水チューブ16’，注水チューブ８’，８，グリップ６を通って容器13内に導かれ、廃液吸引管接続部55と洗浄液供給管接続部56付近および吸引チューブ９や注水チューブ８を洗浄することができる。一定時間、装置洗浄液が吐出された後、三方電磁弁61の弁位置が口腔洗浄液に入った第１の洗浄液用カップ17側の給水チューブ16に切替り、第１の洗浄液用カップ17内の口腔洗浄液が給水チューブ16，注水チューブ８’，８，グリップ６を通って容器13内に一定時間導かれ、吸引される。そして、洗浄液供給ポンプ15と図示しない吸引ポンプが停止し、洗浄液送出時点灯ＬＥＤ37が消灯して装置の洗浄が終了する。なお、三方電磁弁61の弁位置が給水チューブ16’に切替っている場合、注水ボタン７を押してもロックされて注水できないため、装置用の洗浄液が口腔内に入るのを防止することができる。
【００４６】
以上のように本実施例では、洗浄液を口腔内へ供給する洗浄液供給管３と、廃液を口腔内から吸引する廃液吸引管４とを有する清掃へッド２を備えた口腔洗浄器において、清掃へッド２は洗浄液供給管３と廃液吸引管４の一体成型体により形成され、清掃へッド２の先端部に清掃部材５を備えたものである。
【００４７】
この場合、清掃へッド２は洗浄液供給管３と廃液吸引管４の一体成型体により形成されたことで、清掃へッド２を安価に生産可能である。
【００４８】
また、本実施例では、清掃部材５が、歯ブラシからなるものである。
【００４９】
この場合、清掃部材５として歯ブラシを設けているため、口腔内細菌が繁殖し易い歯垢等の汚れを掻き出すことができる。
【００５０】
さらに、本実施例では、洗浄液供給管３へ接続する洗浄液供給管接続部56と、廃液吸引管４へ接続する廃液吸引管接続部55とを備えたグリップ６に、清掃へッド２をネジ込んで着脱可能に接続し、清掃部材５を使い捨て可能にしたので、取り扱いが簡単で、作業効率を向上させることができる。さらに、患者毎に使い捨てすることができるため衛生上の安全性を十分に確保することができる。
【００５１】
また、本実施例では、グリップ６の一端側を収納する容器13を備えるとともに、装置洗浄ボタン36を設け、容器13にグリップ６の一端側を収納させた状態で装置洗浄ボタン36が操作されると、三方電磁弁61の弁位置が切替り装置洗浄液が洗浄液供給管接続部56へ送出されるとともに該洗浄液が廃液吸引管接続部55から吸引され、洗浄液供給管接続部56および廃液吸引管接続部55の細菌等を洗浄するように構成したものである。
【００５２】
この場合、洗浄液供給管接続部56および廃液吸引管接続部55や、グリップ接続部50付近等を短時間で且つ容易に洗浄することができ、細菌等の汚染を容易に低減することができる。
【００５３】
さらに、本実施例では、洗浄液供給ポンプ15と給水チューブ16の間に三方電磁弁61が備えたことで、自動的に第１の洗浄液用カップ17内の口腔用洗浄液と第２の洗浄液用カップ18内の装置用洗浄液を切り換えることができ、短時間かつ容易に口腔洗浄器内を洗浄することが可能である。
【００５４】
なお、本発明は上記各実施例に限定されるものではなく、種々の変形実施が可能である。また、例えば、清掃部材５の形状は直方体形状に限らず、球状やその他の形状に形成してもよい。
【図面の簡単な説明】
【００５５】
【図１】（ａ）第１実施例における口腔洗浄器の全体斜視図である。（ｂ）第１実施例における口腔洗浄器の洗浄時の全体斜視図である。
【図２】同上清掃ヘッドおよびグリップの断面図である。
【図３】第２実施例における口腔洗浄器の清掃ヘッドおよびグリップの断面図である。
【図４】同上口腔洗浄器の正面図である。
【符号の説明】
【００５６】
２  清掃ヘッド
３  洗浄液供給管
４  廃液吸引管
５  清掃部材
６  グリップ
13  容器
36  洗浄スイッチ（洗浄液送出開始ボタン，装置洗浄ボタン）
55  廃液吸引管接続部
56  洗浄液供給管接続部
【図１】
2006116138.tif 000003
【図２】
2006116138.tif 000004
【図３】
2006116138.tif 000005
【図４】
2006116138.tif 000006